(57)【要約】【課題】  簡単な構造、および簡単な操作でノズル筒の先端を開閉可能とすることを課題とし、もって操作性、保管性に優れ、使い勝手の良いポンプのノズルヘッドを提供することを目的とする。【解決手段】  頂壁上面を手による押下げ面としたヘッド本体の側面に、横外方に延出するノズル筒を設けたノズルヘッドにおいて、ノズル筒をエラストマー製とし、ノズル筒の中心軸に対する一方の片側半分を半殻部とし、ノズル筒の少なくとも先端部分において他の片側半分を弾性反転変形可能な反転部に形成し、反転部が半殻部内に原形に復元可能に陥没状に反転変形し、ノズル筒の先端を密閉状に塞ぐ構成とする。【選択図】図１
2008056294.tif 000002
【特許請求の範囲】
【請求項１】
頂壁(5)上面を手による押下げ面としたヘッド本体(2)の側面に、横外方に延出するノズル筒(3)を設けたノズルヘッドであって、該ノズル筒(3)をエラストマー製とし、該ノズル筒(3)の中心軸に対する一方の片側半分を半殻部(21)とし、該ノズル筒(3)の少なくとも先端部分において他の片側半分を弾性反転変形可能な反転部(22)に形成し、該反転部(22)が前記半殻部(21)内に原形に復元可能に陥没状に反転変形し、ノズル筒(3)の先端を密閉状に塞ぐ構成としたポンプのノズルヘッド。
【請求項２】
半殻部(21)と反転部(22)の境界に沿って反転ライン(23)を形成した請求項１記載のポンプのノズルヘッド。
【請求項３】
半殻部(21)を上側半分に、反転部(22)を下側半分に配置した請求項１または2記載のポンプのノズルヘッド。
【請求項４】
半殻部(21)を半円弧状に形成し、反転部(22)を前記半殻部(21)よりやや小径の半円弧状に形成した請求項１、２または３記載のポンプのノズルヘッド。
【請求項５】
反転部(22)の肉厚を、半殻部(21)の肉厚の２／３以下に設定した請求項１、２、３または４記載のポンプのノズルヘッド。
【請求項６】
反転部(22)の基端部(24)を反転不能に構成し、該反転部(22)の反転変形の度合いを前記基端部(24)から先端にかけて徐々に大きくなるようにした請求項１、２、３、４または５記載のポンプのノズルヘッド。
【請求項７】
ノズル筒(3)の先端部分を下方に向けて湾曲させた形状とした請求項１、２、３、４、５または６記載のポンプのノズルヘッド。
【請求項８】
ノズル筒(3)からヘッド本体(2)の頂壁(5)を被覆状に外装するカバー部(7)にかけての部分をエラストマー製として一体形成し、前記ノズル筒(3)と共に、前記カバー部(7)を前記ヘッド本体(2)に組付き固定する構成とした請求項１、２、３、４、５、６または７記載のポンプのノズルヘッド。
【請求項９】
ヘッド本体(2)をインサート材とし、エラストマー部分(E)を射出成形したことを特徴とする請求項１、２、３、４、５、６、７または８記載のポンプのノズルヘッド。
【発明の詳細な説明】
【技術分野】
【０００１】
本発明は、内容液を収容した容器本体の上端の口筒部に組付けられ、押下げ操作により内容液を注出するポンプのノズルヘッドに関するものである。
【背景技術】
【０００２】
シャンプー、リンス、ボディソープ、ハンドソープ、さらには化粧液等の内容液を収容した容器に組付けられ、ノズルヘッドを押下げることにより内容液を注出するポンプは、そのノズルヘッドの構造を、ノズル筒を比較的大きく横外方に延出させたものとし、これにより注出された内容液が、直接手のひらに注出されるようにしている。
【特許文献１】特開平０９−０１２０５２号公報
【０００３】
この上記したポンプのノズルヘッドの一般的な構造は、図５に示すように、上面を手による押下げ面としたヘッド本体１０２の側面に、横外方に延出するノズル筒１０３を設け、ヘッド本体１０２に、上端部にノズル筒１０３のノズル通路１０４を開放させたヘッド首筒１０６と、このヘッド首筒１０６の中央に位置する弁押さえ片１０７を垂下設して構成されている。
【０００４】
そして、このノズルヘッド１０１は、ポンプＰの主体部分の一部である、ボール弁１１２を内装したステム１１１の上端部に、そのヘッド首筒１０６で密にかつ不動に外嵌組付きし、ノズルヘッド１０１の押下げに伴うステム１１１の下降変位により、ボール弁１１２を開放しながらポンプ内を上昇した内容液がノズル通路１０４を通して目的とする箇所に注出するものとなっている。
【０００５】
なお、ノズルヘッド１０１に設けられたガイド筒１０８と、ポンプＰの主体部分側に設けられた支持筒１１３との組合せ物は、ノズルヘッド１０１の昇降変位姿勢を、妄りに傾くことなく、安定して一定に保持するためのものである。
【発明の開示】
【発明が解決しようとする課題】
【０００６】
ここで、上記説明したようなノズルヘッド１０１では内容液の注出後、内容液の粘度によっては液垂れが発生して周囲を汚してしまう、また内容液の種類によってはノズル通路内に残留した内容液が固化したり、変質したりしてしまう等の問題がある。
【０００７】
そこで、本発明は、上記した従来技術における問題点を解消すべく創案されたもので、簡単な構造、および簡単な操作でノズル筒の先端を開閉可能とすることを課題とし、もって操作性、保管性に優れ、使い勝手の良いポンプのノズルヘッドを提供することを目的とする。
【課題を解決するための手段】
【０００８】
上記技術的課題を解決する本発明の内、請求項１記載の発明の手段は、
頂壁上面を手による押下げ面としたヘッド本体の側面に、横外方に延出するノズル筒を設けたノズルヘッドにおいて、
ノズル筒をエラストマー製とし、
ノズル筒の中心軸に対する一方の片側半分を半殻部とし、
ノズル筒の少なくとも先端部分において他の片側半分を弾性反転変形可能な反転部に形成し、
反転部が半殻部内に原形に復元可能に陥没状に反転変形し、ノズル筒の先端を密閉状に塞ぐ構成とすること、
にある。
【０００９】
請求項１記載の上記構成により、ノズル筒を柔軟性があり元の形状に弾性回復可能な状態で、大きく変形することができるエラストマー製とすることにより、
指先で反転部を半殻部内に押し込むようにして陥没状に反転変形させることにより、簡単にノズル筒の先端を密閉状に閉状態とすることができる。
【００１０】
そして、反転部は反転変形した状態で安定に保持されるので、この密閉状の状態を持続して維持でき、保管中における液垂れを防止でき、またノズル通路中に残留した内容液の固化や変質を防ぐことができる。
また、使用後にノズル筒を陥没状に反転変形させながらノズル筒中に残留した内容液の大部分を外部に排出するができるので、この点からも内容液を固化させることなく繰り返し、安心して、安定して使用することができる。
【００１１】
そして、次に使用する際にはノズル筒を指先で摘むようにして、半殻部から反転部を押し出して、弾性的な復元力により原形に復元させてノズル筒を開状態とすることができる。また、反転部の肉厚を薄くする等により、閉状態のままでポンプを操作して内容液の流動する勢いで原形に復元させることもできる。
【００１２】
請求項２記載の発明の手段は、請求項１記載の発明において、半殻部と反転部の境界に沿って反転ラインを形成したこと、にある。
【００１３】
請求項２記載の上記構成により、反転部を半殻部内に押し込むようにすることにより、反転部が反転ラインを基端としてスムーズに陥没状に反転変形することができると共に、この反転変形した状態をより安定して維持することができる。
【００１４】
請求項３記載の発明の手段は、請求項１または2記載の発明において、半殻部を上側半分に、反転部を下側半分に配置したこと、にある。
【００１５】
請求項３記載の上記構成により、反転部を半殻部の下側に配置することにより、誤操作により反転部を反転させてノズル筒を閉状態とすることがない。
勿論、半殻部と反転部の配置は上記のような配置に限定されるものではなく、使用目的、方法によって適宜選択することができ、たとえば反転部を上側にすることもでき、両者を左右に配置することもできる。
【００１６】
請求項４記載の発明の手段は、請求項１、２または３記載の発明において、半殻部を半円弧状に形成し、反転部を半殻部よりやや小径の半円弧状に形成したこと、にある。
【００１７】
請求項４記載の上記構成により、反転部の内周面が半殻部の内周面に沿うように、反転部をスムーズに陥没状に反転変形できる。
【００１８】
請求項５記載の発明の手段は、請求項１、２、３または４記載の発明において、反転部の肉厚を、半殻部の肉厚の２／３以下に設定したこと、にある。
【００１９】
請求項５記載の上記構成により、反転部の陥没状の反転変形とその復元をより容易にスムーズに達成することができる。
【００２０】
請求項６記載の発明の手段は、請求項１、２、３、４または５記載の発明において、反転部の基端部を反転不能に構成し、この反転部の反転変形の度合いが基端部から先端にかけて徐々に大きくなるようにしたこと、にある。
【００２１】
請求項６記載の上記構成により、ノズル筒を指先で摘むようにして基端部から先端部にかけて移動させることにより反転変形を容易に元の形状に復帰させることができる。
【００２２】
請求項７記載の発明の手段は、請求項１、２、３、４、５または６記載の発明において、ノズル筒の先端部分を下方に向けて湾曲させた形状としたこと、にある。
【００２３】
請求項７記載の上記構成により、ノズル筒の先端部分を下方に向けて湾曲させることにより、たとえば片手でヘッド本体を押圧すると共に、その押圧する手の手のひらに確実に内容液を注出させることができる。
【００２４】
ここで、ノズル筒が、柔軟性があり、元の形状に弾性回復可能な状態で大きく変形することができるエラストマー製であるので、ノズル筒の先端部を大きく湾曲させた形状にも容易に射出成形が可能である。
【００２５】
請求項８記載の発明の手段は請求項１、２、３、４、５、６または７記載の発明において、ノズル筒からヘッド本体の頂壁を被覆状に外装するカバー部にかけての部分をエラストマー製として一体形成し、ノズル筒と共にカバー部をヘッド本体に組付き固定する構成としたこと、にある。
【００２６】
通常、硬質樹脂製のノズル本体と、エラストマー製のノズル筒はそれぞれ射出成形して、別途組付けて製造されるが、請求項８記載の上記構成により、カバー部も含めてエラストマー製とすることにより、このエラストマー製部分のヘッド本体部分への組付け固定をより確実なものとすることができる。
【００２７】
また、押圧面となる頂壁がエラストマー製のカバー部により被覆状に外装されるのであり、押圧時の指先のすべりを防止でき、さらにはソフトな触感とすることができ、より使い勝手のよいものとすることができる。
【００２８】
請求項９記載の発明の手段は、請求項１、２、３、４、５、６、７または８記載の発明において、ヘッド本体をインサート材とし、エラストマー部分を射出成形したことにある。
【００２９】
上記請求項９において、エラストマー部分とは、たとえばノズル筒部分、あるいはノズル筒からカバー部にかけての部分等のエラストマーで形成された部分を指す。そして、請求項８記載の上記構成により、ヘッド本体をインサート材とし、ノズル筒、あるいはノズル筒からカバー部にかけてのエラストマー部分を射出成形することにより、ヘッド本体とエラストマー部分を一体状にしてノズルヘッドを形成でき、アンダーカット部分を利用してより確実に組付き固定ができる。
【発明の効果】
【００３０】
本発明は、上記した構成となっているので、以下に示す効果を奏する。
請求項１記載の発明にあっては、指先で反転部を半殻部内に押し込むようにして陥没状に反転変形させることにより、容易にノズル筒の先端を密閉状に閉状態とすることができ、保管中における液垂れを防止でき、またノズル通路中に残留した内容液の固化や変質を防ぐことができる。
また、使用後にノズル筒を陥没状に反転変形させながらノズル筒中に残留した内容液の大部分を外部に排出するができるので、この点からも内容液を固化させることなく繰り返し、安心して、安定して使用することができる。
【００３１】
そして、次に使用する際にはノズル筒を指先で摘むようにして、半殻部から反転部を押し出して、弾性的な復元力により原形に復元させて、ノズル筒を開状態とすることができる。
【００３２】
請求項２記載の発明にあっては、反転部を半殻部内に押し込むようにすることにより、反転部が反転ラインを基端としてスムーズに陥没状に反転変形することができると共に、この反転変形した状態をより安定して維持することができる。
【００３３】
請求項３記載の発明にあっては、反転部を半殻部の下側に配置することにより、誤操作により反転部を反転させてノズル筒を閉状態とすることがない。
【００３４】
請求項４記載の発明にあっては、半殻部を半円弧状に形成し、反転部を半殻部よりやや小径の半円弧状に形成することにより、反転部の内周面が半殻部の内周面に沿うように、反転部をスムーズに陥没状に反転変形できる。
【００３５】
請求項５記載の発明にあっては、反転部の肉厚を、半殻部の肉厚の２／３以下に設定することにより、反転部の陥没状の反転変形とその復元をより容易にスムーズに達成することができる。
【００３６】
請求項６記載の発明にあっては、ノズル筒を指先で摘むようにして基端部から先端部にかけて移動させることにより反転変形を容易に元の形状に復帰させることができる。
【００３７】
請求項７記載の発明にあっては、ノズル筒の先端部を下方に向けて湾曲させることにより、たとえば片手でヘッド本体を押圧すると共に、その押圧する手の手のひらに確実に内容液を注出させることができる。
【００３８】
請求項８記載の発明にあっては、カバー部も含めてエラストマー製とすることにより、このエラストマー製部分のヘッド本体部分への組付け固定をより確実なものとすることができる。また、押圧面となる頂壁がエラストマー製のカバー部により被覆状に外装され、押圧時の指先のすべりを防止でき、さらにはソフトな触感とすることができる。
【００３９】
請求項９記載の発明にあっては、ヘッド本体をインサート材とし、ノズル筒、あるいはノズル筒からカバー部にかけてのエラストマー部分を射出成形することにより、ヘッド本体とエラストマー部分を一体状にしてノズルヘッドを形成でき、アンダーカット部分を利用してより確実に組付き固定ができる。
【発明を実施するための最良の形態】
【００４０】
以下、本発明の実施形態を実施例により図面を参照しながら説明する。
図１〜図４は本発明ノズルへヘッドの一実施例を説明するものであり、図１はポンプＰの上部に取り付けた状態で一部破断して示すノズルヘッド１の側面図、図２はその平面図である。
【００４１】
このノズルヘッド１は有頂円筒状のノズル本体２の側面に横外方に延出するノズル筒３を設けたものであり、ヘッド本体２は、頂壁５から、外周壁を形成するガイド筒８が垂下設され、またその内側に上端部にノズル筒３の先端まで連通するノズル通路４を開放させたヘッド首筒６が垂下設されている。
【００４２】
ヘッド本体２はポリプロピレン樹脂製であり、ノズル筒３から頂壁５を被覆状に外装するカバー部７にかけての部分はエラストマーで一体成形されたエラストマー部分Ｅとしている。なお、カバー部７の前方にはノズル通路４の一部が形成されている。
【００４３】
そしてノズルヘッド１はそのヘッド首筒６で、ポンプＰの主体部分の一部であるボール弁１２を内装したステム１１の上端部に、密にかつ不動に外嵌組付きし、ノズルヘッド１の押下げに伴うステム１１の下降変位により、ボール弁１２を開放しながらポンプ内を上昇した内容液がヘッド首筒６、ノズル通路４を通して、目的とする箇所に注出するものとなっている。
【００４４】
円筒形状をしたステム１１は、ヘッド首筒６の嵌入組付き限位置を設定する段部にまで嵌入し、内周面に内鍔片を周設することにより弁座面を形成してボール弁１２を配設している。また、ヘッド首筒６の内周面に配設され、縦方向への流路が形成された押え片１４によりボール弁１２の上限位置が決められる。
【００４５】
なお、ノズル首筒６を囲む形態でヘッド本体２に垂下設されたガイド筒８と、ポンプＰの主体部分側に設けられた支持筒１３との組合せ物は、ノズルヘッド１の昇降変位姿勢を、妄りに傾くことなく、安定して一定に保持するためのものである。
【００４６】
本実施例のノズルヘッド１では、前述したようにノズル筒３からカバー部７にかけての部分をエラストマー部分Ｅとしているが、このエラストマー部分Ｅは、予め射出成形したポリプロピレン樹脂製のヘッド本体２をインサート材とし、射出成形したものであり、ヘッド本体２にアンダーカット状にしっかりと組付け固定されている。
【００４７】
エラストマーとしては、大きな弾性と充分な柔軟性とを有するスチレン・ブタジエン・スチレンブロックコポリマー系エラストマー、オレフィン系エラストマー、ウレタン系エラストマー、さらにはポリエステル系エラストマー等が使用される。
押圧面となる頂壁５をこのようなエラストマー製のカバー部７により被覆状に外装することにより押圧時の指先のすべりを防止し、さらにはソフトな触感とすることができる。
【００４８】
本実施例では、ノズル筒３はヘッド本体２から水平方向に真っ直ぐ延出しているが、ノズル筒３部分の正面図である図４（ａ）から判るように、このノズル筒３は傾斜段状の反転ライン２３を境に、上側の半円弧状部分を通常の肉厚の半殻部２１とし、下側の半円弧状部分を比較的薄肉に形成される反転部２２としている。
【００４９】
そして反転部２２は半殻部２１に対してやや小径に成形されており、その肉厚は半殻部２１の２／３以下としており、この反転部２２は上記した反転ライン２３を基点とし、下側から指先で押し込むようにして半殻部２１内に、容易に陥没状に反転変形させることができる。
【００５０】
図３と図４（ｂ）は反転部２２が反転変形した状態を示すものであり、これらに図示されるように反転部２２の反転変形により、ノズル筒３の先端近傍では、反転変形した反転部２２の内周面が半殻部２１の内周面に密着状に内接してノズル通路４を密閉状に閉状態とすることができる。
【００５１】
なお、図３に示されるようにノズル筒３の基端部２４は、厚肉に形成されヘッド本体２と組付き固定した部分に連結するので、反転変形が不能であり、図４（ｂ）に示されように半円弧状の形状は変形せずにそのままに保持され、反転部２２の陥没状の変形は側面から見ると図３に示されるように、ノズル筒３の基端部２４から先端にかけて徐々に大きくなり、先端近傍で完全な反転状態となる。
【００５２】
そして、この反転部２２の反転変形状態は安定して保持され、内容液を注出した後はこのように、反転部２２を反転変形させてノズル通路４を密閉状に閉状態として、液垂れない状態で保管でき、さらには保管時におけるノズル通路４に残留した内容液の固化や変質を効果的に防ぐことができる。
使用後にノズル筒３を陥没状に反転変形させながらノズル筒３中に残留した内容液の大部分を外部に排出するができるので、この点からも内容液を固化させることなく繰り返し、安心して、安定して使用することができる。
【００５３】
そしてまた、次に使用する際にはノズル筒３の両側面を指先で摘むように、反転部２２を半殻部２１から押し出すようにして、弾性的な復元力を利用してもとの形状に復元させることができる。
なお、本実施例のノズルヘッドでは前述したように、ノズル筒３の反転変形が基端部２４から先端にかけて徐々に大きくなっているので、ノズル筒３の両側面を指先で摘むようにして基端部２４から先端部にかけて移動させることにより容易に元の形状に復帰させることができる。
また、ポンプＰの上下動操作によって、ノズル筒４内に内容液を流動させてその圧力で元の形状に復帰させるようにすることもできる。
【００５４】
以上、実施例に沿って本発明の実施の形態を説明したが、本発明の作用効果はこれら実施例に限定されものではない。
図１に示したポンプは本発明のノズルヘッドと組み合わせて使用するポンプの一例にすぎないものであり、使用されるポンプは、ボール弁付きのものに限定されることはなく、バネ式の合成樹脂製弁等のあらゆる種類のポンプを使用することもできる。
【００５５】
また、上記実施例ではノズル筒３は水平方向に直線状に延出した形状としたが、エラストマー製であるので先端部分を大きく下方に湾曲させても射出成形可能であり、注出方向を下向きにして、内容液を手のひらに注出でき使い勝手のよいものとすることができる。
【００５６】
また、ノズル筒３からカバー部７にかけての部分を一体形成してエラストマー部分Ｅとする例を示したが、この組み付け固定は必ずしもインサート成形に限定されるものではなく、エラストマーの柔軟性を利用して後工程で組付き固定することもできる。
一方、インサート成形を利用する場合には、容易にアンダーカット部を形成することができるので、ノズル筒３だけをエラストマー部分とし、ヘッド本体２にしっかりと組付け固定することもできる。
【産業上の利用可能性】
【００５７】
本発明のノズルヘッドは簡単な構造、および簡単な操作でノズル筒の先端を容易に開閉でき、操作性、保管性に優れ、使い勝手の良いノズルヘッドを提供するものであり、さまざまな態様の容器、ポンプと組み合わせて幅広い用途展開が期待できる。
【図面の簡単な説明】
【００５８】
【図１】本発明のノズルヘッドの一実施例を一部破断して示す側面図である。
【図２】図１のノズルヘッドの平面図である。
【図３】図１において反転部を反転変形させた状態を示す縦断側面図である。
【図４】（ａ）は図１のノズル筒部分の正面図であり、（ｂ）は図３のノズル筒部分の正面図である。
【図５】ノズルヘッドの従来例を示す縦断側面図である。
【符号の説明】
【００５９】
１  ；ノズルヘッド
２  ；ヘッド本体
３  ；ノズル筒
４  ；ノズル通路
５  ；頂壁
６  ；ヘッド首筒
７  ；カバー部
８  ；ガイド筒
１１；ステム
１２；ボール弁
１３；支持筒
１４；押え片
２１；半殻部
２２；反転部
２３；反転ライン
２４；基端部
１０１；ノズルヘッド
１０２；ヘッド本体
１０３；ノズル筒
１０４；ノズル通路
１０６；ヘッド首筒
１０７；弁押え片
１０８；ガイド筒
１１１；ステム
１１２；ボール弁
１１３；支持筒
Ｅ  ；エラストマー部分
Ｐ  ；ポンプ
【図１】
2008056294.tif 000003
【図２】
2008056294.tif 000004
【図３】
2008056294.tif 000005
【図４】
2008056294.tif 000006
【図５】
2008056294.tif 000007